(57)【要約】【課題】ヒートシール層以外に白色または黒色の印刷層を設ける必要がなく、コストダウンが可能となるインモールドラベルおよびインモールドラベル容器を提供する。【解決手段】インモールドラベル１０は、ポリプロピレン製の透明な基材層１１と、基材層１１の内側に配置され、容器本体２に接着されるヒートシール印刷層１２と、基材層１１とヒートシール印刷層１２との間に配置された絵柄印刷層１３と、を備えている。ヒートシール印刷層１２は、酸化チタンと、塩素化ポリプロピレンと、を含んでいる。ヒートシール印刷層１２は、基材層１１側から見たときに、絵柄印刷層１３に対する下地層として機能する。ヒートシール印刷層１２に含有される酸化チタンの濃度は、５重量％以上２８重量％以下である。【選択図】図４
2018001651.tif 000002
【特許請求の範囲】
【請求項１】
射出成形により成形される容器本体の外面に接着されるインモールドラベル容器用のインモールドラベルにおいて、
ポリプロピレン製の透明な基材層と、
前記基材層の内側に配置され、前記容器本体に接着されるヒートシール印刷層と、
前記基材層と前記ヒートシール印刷層との間に配置された絵柄印刷層と、を備え、
前記ヒートシール印刷層は、酸化チタンと、塩素化ポリプロピレンと、を含み、
前記ヒートシール印刷層は、前記基材層側から見たときに、前記絵柄印刷層に対する下地層として機能し、
前記ヒートシール印刷層に含有される酸化チタンの濃度は、５重量％以上２８重量％以下であることを特徴とするインモールドラベル。
【請求項２】
前記絵柄印刷層は、多色印刷層であることを特徴とする請求項１に記載のインモールドラベル。
【請求項３】
前記ヒートシール印刷層に含有される酸化チタンの濃度は、１５重量％以上であることを特徴とする請求項１または２に記載のインモールドラベル。
【請求項４】
請求項１乃至３のいずれか一項に記載のインモールドラベルと、前記容器本体と、を備えたことを特徴とするインモールドラベル容器。
【発明の詳細な説明】
【技術分野】
【０００１】
本発明は、インモールドラベルおよびインモールドラベル容器に関する。
【背景技術】
【０００２】
従来、各種飲料やデザート食品などを密封包装するカップ状容器としては、容器の保形性がよいことからプラスチックの射出成形によるカップ状容器が多く用いられている。更に、意匠性や光隠蔽性を向上させるため、容器の射出成形の際、基材層と熱可塑性樹脂から構成された接着層とを有するインモールドラベルを用い、このインモールドラベル内面に射出樹脂を射出することにより得られるインモールドラベル容器が知られている。
【先行技術文献】
【特許文献】
【０００３】
【特許文献１】特開２００６−２０６１６２号公報
【特許文献２】特開平９−２９５３８３号公報
【発明の概要】
【発明が解決しようとする課題】
【０００４】
特許文献１において、容器の壁面と直接熱溶着可能な合成樹脂性の単層フィルムからなる基材にエンボス加工を施している。
【０００５】
しかしながら、多色グラビア印刷のインモールドラベルにおいては、特許文献１のようにインモールドラベルにエンボス加工を施す場合、印刷工程とは別の作業が必要になる。この場合、作業工程数が増加することによりコストアップになる。
【０００６】
また、特許文献２において、基材層の裏面側に光隠蔽性を有する熱可塑性樹脂からなる白色または黒色のヒートシール層を設けている。
【０００７】
しかしながら、特許文献２のように、ヒートシール層以外にも白色または黒色の色を使用する印刷層を設ける場合、多色印刷機で使用できる印刷ユニットの数は限られているため、使用できる色の数が制限され、印刷による意匠性が低下するおそれがある。また、使用する色の数を確保するためには、インモールドラベルを再び多色印刷機に通して再印刷する必要がある。この場合、印刷工程が増加することによりコストアップになる。
【０００８】
本発明はこのような点を考慮してなされたものであり、ヒートシール層以外に白色または黒色の印刷層を設ける必要がなく、コストダウンが可能となるインモールドラベルおよびインモールドラベル容器を提供することを目的とする。
【課題を解決するための手段】
【０００９】
本発明は、射出成形により成形される容器本体の外面に接着されるインモールドラベル容器用のインモールドラベルにおいて、ポリプロピレン製の透明な基材層と、前記基材層の内側に配置され、前記容器本体に接着されるヒートシール印刷層と、前記基材層と前記ヒートシール印刷層との間に配置された絵柄印刷層と、を備え、前記ヒートシール印刷層は、酸化チタンと、塩素化ポリプロピレンと、を含み、前記ヒートシール印刷層は、前記基材層側から見たときに、前記絵柄印刷層に対する下地層として機能し、前記ヒートシール印刷層に含有される酸化チタンの濃度は、５重量％以上２８重量％以下であることを特徴とするインモールドラベルである。
【００１０】
本発明は、前記絵柄印刷層は、多色印刷層であることを特徴とするインモールドラベルである。
【００１１】
本発明は、前記ヒートシール印刷層に含有される酸化チタンの濃度は、１５重量％以上であることを特徴とするインモールドラベルである。
【００１２】
本発明は、本発明によるインモールドラベルと、前記容器本体と、を備えたことを特徴とするインモールドラベル容器である。
【発明の効果】
【００１３】
以上のように本発明によれば、ヒートシール印刷層に酸化チタンが含有され、酸化チタンの濃度が、５重量％以上２８重量％以下であるため、ヒートシール印刷層を白色に近づけることができる。また、ヒートシール印刷層を白色に近づけることで、ヒートシール印刷層は、基材層側から見たときに、絵柄印刷層に対する下地層として機能する。このため、絵柄印刷層の下地層として、ヒートシール印刷層の他に別途に白色印刷層を設ける必要がない。このことにより、別途に白色印刷層を設ける場合に比べて白色印刷層の印刷工程を省くことができる。
【図面の簡単な説明】
【００１４】
【図１】図１は、本実施の形態によるインモールドラベル容器を示す縦断面図。
【図２】図２は、図１に示すインモールドラベル容器を示す背面図。
【図３】図３は、本実施の形態によるインモールドラベルの外形を示す展開図。
【図４】図４は、図３に示すインモールドラベルの層構成を示す図。
【発明を実施するための形態】
【００１５】
以下に、本発明によるインモールドラベルおよびインモールドラベル容器の実施の形態について、図１乃至図４を用いて説明する。図１は、インモールドラベル容器を示す縦断面図であり、図２は、図１に示したインモールドラベル容器の背面図である。また、図３は、インモールドラベルの外形を示す展開図であり、図４は図３に示したインモールドラベルの層構成を示す図である。
【００１６】
図１および図２に示すように、インモールドラベル容器１は、射出成形により形成される容器本体２と、容器本体２の外面に接着されるインモールドラベル１０と、を備えている。このうち容器本体２は、胴部３と、胴部３上端に設けられたフランジ部４と、胴部３の下端に設けられた底部５と、底部５の周縁に設けられ下方へ突出する脚部６と、を有している。
【００１７】
胴部３の外周面側には、本発明によるインモールドラベル用のインモールドラベル１０が接着されている。また、胴部３の下方部分には、スタックリブ８が設けられている。
【００１８】
そして、胴部３のうちインモールドラベル１０を除いた部分、フランジ部４、底部５および脚部６は、射出樹脂を射出成形金型（図示せず）内に射出することにより得られる射出樹脂部７からなる。なお、脚部６は胴部３の延長上に設けられるが、インモールドラベル１０が脚部６まで達していてもよい。
【００１９】
次に、胴部３のうちインモールドラベル１０を除いた部分、フランジ部４、底部５および脚部６を構成する射出樹脂部７の射出樹脂材料、およびインモールドラベル１０について説明する。
【００２０】
射出樹脂部７を形成する射出樹脂材料としては、ポリエチレン、ポリエチレンテレフタレート、ポリスチレン、ポリプロピレン等の合成樹脂を用いることができる。
【００２１】
次に、インモールドラベル１０について図３および図４を参照して説明する。図３に示すようにインモールドラベル１０は、扇形状をなしており、インモールドラベル１０の両端部１０ａ、１０ｂの上方および下方の角部は小さいＲ状で面取りがされている。
【００２２】
インモールドラベル１０の高さ方向の長さは、図１に示すように、胴部３の上方ではフランジ部４に僅かに突き出し、下方では脚部６の中間部程度まで達することが好ましい。また、インモールドラベル１０の円周方向の長さは、図２に示すように、突き合わされる両端部１０ａ、１０ｂ同士の間に、幅が０．２〜２．０ｍｍ程度の隙間１０Ａが生じる程度の長さであることが好ましい。このようなインモールドラベル１０を形成することにより、図示しない射出成形金型の雌型の所定位置にインモールドラベル１０を挿入し真空吸引により固定し、型閉じ後、射出樹脂を雌型の底部の中心部のゲートから注入した時、インモールドラベル１０に重なり部や、めくれ、しわなどの不良を発生することを防止することができる。また、この際、スムーズに射出樹脂を注入することができ、インモールドラベル１０と射出樹脂とを一体化して成形することができる。
【００２３】
次に、本実施の形態によるインモールドラベル１０について説明する。図４に示すように、インモールドラベル１０は、基材層１１と、基材層１１の内側に配置されたヒートシール印刷層１２と、基材層１１とヒートシール印刷層１２との間に配置された絵柄印刷層１３と、を備えている。このうち、基材層１１は、ポリプロピレン製の透明な層を含む。より具体的には、基材層１１としては、延伸ポリプロピレンフィルムが使用されている。また、基材層１１の厚さは６０μｍに設定されている。
【００２４】
また、基材層１１の外側には、基材層１１を保護するマット調のマットオーバープリント層（マットＯＰ層）１４が設けられている。このマットオーバープリント層１４としては、アクリル樹脂系のマットニスを用いることができる。
【００２５】
ヒートシール印刷層１２は、インモールドラベル容器１の射出成形の際、容器本体２に接着される層である。このヒートシール印刷層１２は、酸化チタンと、塩素化ポリプロピレンと、を含んでいる。また、ヒートシール印刷層１２に含有される酸化チタンの濃度は、５重量％以上２８重量％以下になっている。
【００２６】
ここで、ヒートシール印刷層１２に含有される酸化チタンの濃度が５重量％未満の場合、ヒートシール印刷層１２が絵柄印刷層１３の下地層としての効果を発揮せず、基材層１１側から見たときの絵柄印刷層１３の意匠性が低下するといった不具合がある。他方、ヒートシール印刷層１２に含有される酸化チタンの濃度が２８重量％を超えた場合、絵柄印刷層１３とヒートシール印刷層１２との間の接着性が悪くなり、絵柄印刷層１３にインキ抜け等の印刷不良が発生するといった不具合がある。これに対して、本実施の形態によれば、ヒートシール印刷層１２に含有される酸化チタンの濃度を５重量％以上としたので、ヒートシール印刷層１２の色を白色に近づけることができる。このことにより、ヒートシール印刷層１２が、基材層１１側から見たときに、絵柄印刷層１３に対する下地層として機能し、意匠性を向上させることができる。また、酸化チタンの濃度を２８重量％以下としたので、ヒートシール印刷層１２と絵柄印刷層１３との間の接着性の低下を抑制できる。このため、印刷不良の発生を低減できる。さらに、酸化チタンの濃度は、１５重量％以上であることが好適である。このように酸化チタンの濃度を１５重量％以上とすることにより、ヒートシール印刷層１２の色をより白色に近づけることができる。このことにより、絵柄印刷層１３により形成される打抜き用見当マークを目立たせることができる。このため、インモールドラベル１０を図３に示す形状に打ち抜く際、見当合わせの精度を向上させることができる。また、絵柄印刷層１３により形成される印刷用見当マークも目立たせることができる。なお、打抜き用見当マークおよび印刷用見当マークについては更に後述する。このヒートシール印刷層１２としては、塩素化ポリプロピレン樹脂系インキを用いることができる。また、ヒートシール印刷層１２は、射出樹脂と接着される層であるため、射出樹脂と同一の材料を含むことが好ましい。
【００２７】
また、ヒートシール印刷層１２および絵柄印刷層１３は、多色印刷機の複数台の印刷ユニットによって形成され、このうち絵柄印刷層１３は、複数の色で印刷されている。この絵柄印刷層１３としては、通常の顔料を持つインキを用いることができ、例えば、ウレタン樹脂系インキを用いることができる。
【００２８】
次に、インモールドラベル１０の製造方法について述べる。
【００２９】
まず、延伸ポリプロピレンフィルム製の透明な基材層１１を準備する。
【００３０】
次に、基材層１１上に絵柄印刷層１３が積層して形成される。この場合、多色印刷機（多色グラビア印刷機、図示せず）の複数台の印刷ユニット（図示せず）を用いて絵柄印刷層１３が形成される。すなわち、多色印刷機は、連続的に搬送される基材層１１に対して互いに異なる色の印刷をする複数台の印刷ユニットを備えている。この場合、第１の印刷ユニットは絵柄印刷層１３の第１色目の印刷ユニットとなり、第２の印刷ユニットは第２色目の印刷ユニットとなり、第３の印刷ユニットは第３色目の印刷ユニットとなる。
【００３１】
例えば、多色印刷機が９つの印刷ユニットを備えていた場合、絵柄印刷層１３は、第１から第７の印刷ユニットによって基材層１１上に印刷される。また、印刷ユニットが絵柄印刷層１３を印刷する際、絵柄印刷層１３に見当マークが設けられる。この見当マークは、多色印刷用の印刷用見当マークと、インモールドラベル１０を打ち抜く際の見当合わせに利用する打抜き用見当マークとからなる。このうち、各々の印刷ユニットによって、絵柄印刷層１３の色毎に、絵柄とともに印刷用見当マークが設けられる。そして、絵柄印刷層１３の色毎に設けられた印刷用見当マークによって、絵柄印刷層１３を形成する際の見当合わせが行われる。また、打抜き用見当マークについては、絵柄印刷層１３の色毎に設けられる必要はなく、一の印刷ユニットによって、打抜き用見当マークを設けることができる。
【００３２】
次に、ヒートシール印刷層１２が、複数の色で印刷された絵柄印刷層１３上に積層して形成される。この場合、絵柄印刷層１３が最後に印刷された印刷ユニット（例えば、第７の印刷ユニット）の次の印刷ユニット（例えば、第８の印刷ユニット）によって、ヒートシール印刷層１２が絵柄印刷層１３上に積層して形成される。なお、上述のように、ヒートシール印刷層１２に含有される酸化チタンの濃度は、５重量％以上２８重量％以下になっている。このことにより、ヒートシール印刷層１２を白色に近づけることができる。このため、絵柄印刷層１３の印刷工程において絵柄印刷層１３の下地層として機能する白色の印刷工程を省くことができる。また、絵柄印刷層１３に白インキでの白ベタ層を積層する場合に比べて、白インキの使用量を減らすことができる。
【００３３】
次に、マットオーバープリント層１４が基材層１１上に積層して形成される。この際、ヒートシール印刷層１２を形成する印刷ユニット（例えば、第８の印刷ユニット）の次の印刷ユニット（最後の印刷ユニット、例えば、第９の印刷ユニット）に基材層１１、絵柄印刷層１３およびヒートシール印刷層１２の積層体が進入する前に、当該積層体が一度反転される。次に、当該次の印刷ユニットによって、基材層１１上にマットオーバープリント層１４が積層して形成される。
【００３４】
その後、マットオーバープリント層１４、基材層１１、絵柄印刷層１３およびヒートシール印刷層１２の積層体は、乾燥工程で乾燥された後、絵柄印刷層１３に設けられた打抜き用見当マークを用いて打抜き装置（図示せず）により打抜かれて、インモールドラベル１０が得られる。
【００３５】
このように本実施の形態によれば、ヒートシール印刷層１２に含有される酸化チタンの濃度が、１５重量％以上２８重量％以下であるため、ヒートシール印刷層１２を白色に近づけることができる。このことにより、絵柄印刷層１３の印刷工程において絵柄印刷層１３の下地層として機能する白色の印刷工程を省くことができる。このため、絵柄印刷層１３の印刷工程において使用する色の数を抑えて、１つの多色印刷機による１回の印刷工程によって印刷工程を終了させることができる。すなわち、絵柄印刷層１３に使用する色の数を確保するために、インモールドラベル１０を再び別個の多色印刷機に通して再印刷する必要はない。このため、印刷工程が増加することはなく、コストアップを抑制できる。この結果、製造工程の簡略化を図ることができ、コストダウンが可能となる。
【００３６】
また、絵柄印刷層１３の印刷工程において、絵柄印刷層１３の下地層として機能する白色の印刷工程を省くことができ、より多色の印刷を絵柄印刷層１３に施すことができる。さらに、白色のヒートシール印刷層１２は、上述のように、基材層１１側から見たときに、絵柄印刷層１３に対する下地層として機能する。このことにより、意匠性を向上させることができる。
【００３７】
また、ヒートシール印刷層１２に含有される酸化チタンの濃度は、好ましくは１５重量％以上になっているため、ヒートシール印刷層１２の色を白色に近づけることができる。このことにより、絵柄印刷層１３に設けられる見当マークを目立たせることができる。このため、インモールドラベル１０を打ち抜く際の見当合わせの精度を向上させることができる。
【実施例】
【００３８】
次に、本発明を実施例により更に具体的に説明するが、本発明はその要旨を超えない限り、以下の実施例の記載に限定されるものではない。
【００３９】
（実施例１）
実施例１として、９つの印刷ユニットを備える多色印刷機を使用して、次のような構成のインモールドラベル１０を作製した。
（外側）マットオーバープリント層／基材層（６０μｍ）／絵柄印刷層（７層））／ヒートシール印刷層（酸化チタン含有率２８重量％）
この場合、基材層１１として、６０μｍの厚さの延伸ポリプロピレンフィルム製の基材層１１を用いた。次に、基材層１１上に、ウレタン樹脂系インキを用いて７色の印刷層からなる７層の絵柄印刷層１３を形成した。次に、絵柄印刷層１３上に、塩素化ポリプロピレン樹脂系インキを用いてヒートシール印刷層１２を形成した。ヒートシール印刷層１２は、２８重量％の酸化チタンを含有している。その後、絵柄印刷層１３を積層した側とは反対側の基材層１１上にマットオーバープリント層１４を形成した。
【００４０】
その後、基材層１１側から見たときの絵柄印刷層１３の見栄え、絵柄印刷層１３とヒートシール印刷層１２との間の接着性、および印刷工程数について評価を行った。その結果を表１に示す。
【００４１】
（実施例２）
実施例２として、酸化チタン含有量のみを変えて、他の構成部分は実施例１と同様のインモールドラベル１０を作製した。すなわち、実施例２として、９つの印刷ユニットを備える多色印刷機を使用して、次のような構成のインモールドラベル１０を作製した。
（外側）マットオーバープリント層／基材層（６０μｍ）／絵柄印刷層（７層））／ヒートシール印刷層（酸化チタン含有率１５重量％）
この場合、基材層１１として、６０μｍの厚さの延伸ポリプロピレンフィルム製の基材層１１を用いた。次に、基材層１１上に、ウレタン樹脂系インキを用いて７色の印刷層からなる７層の絵柄印刷層１３を形成した。次に、絵柄印刷層１３上に、塩素化ポリプロピレン樹脂系インキを用いてヒートシール印刷層１２を形成した。ヒートシール印刷層１２は、１５重量％の酸化チタンを含有している。その後、絵柄印刷層１３を積層した側とは反対側の基材層１１上にマットオーバープリント層１４を形成した。そして、実施例１と同様にして評価を行った。その結果を表１に示す。
【００４２】
（比較例１）
比較例１として、酸化チタン含有量のみを変えて、他の構成部分は実施例１と同様のインモールドラベル１０を作製した。すなわち、比較例１として、９つの印刷ユニットを備える多色印刷機を使用して、次のような構成のインモールドラベル１０を作製した。
（外側）マットオーバープリント層／基材層（６０μｍ）／絵柄印刷層（７層））／ヒートシール印刷層（酸化チタン含有率１重量％）
この場合、基材層１１として、６０μｍの厚さの延伸ポリプロピレンフィルム製の基材層１１を用いた。次に、基材層１１上に、ウレタン樹脂系インキを用いて７色の印刷層からなる７層の絵柄印刷層１３を形成した。次に、絵柄印刷層１３上に、塩素化ポリプロピレン樹脂系インキを用いてヒートシール印刷層１２を形成した。ヒートシール印刷層１２は、１重量％の酸化チタンを含有している。その後、絵柄印刷層１３を積層した側とは反対側の基材層１１上にマットオーバープリント層１４を形成した。そして、実施例１と同様にして評価を行った。その結果を表１に示す。
【００４３】
（比較例２）
比較例２として、酸化チタン含有量および絵柄印刷層１３の層数を変えて、他の構成部分は実施例１と同様のインモールドラベル１０を作製した。すなわち、比較例２として、９つの印刷ユニットを備える多色印刷機を使用して、次のような構成のインモールドラベル１０を作製した。
（外側）マットオーバープリント層／基材層（６０μｍ）／絵柄印刷層（８層））／ヒートシール印刷層（酸化チタン含有率０重量％）
この場合、基材層１１として、６０μｍの厚さの延伸ポリプロピレンフィルム製の基材層１１を用いた。次に、基材層１１上に、ウレタン樹脂系インキを用いて８色の印刷層からなる８層の絵柄印刷層１３を形成した。すなわち、実施例１、２および比較例１の絵柄印刷層１３に白インキでの白ベタ層を追加して比較例２における絵柄印刷層１３を形成した。次に、絵柄印刷層１３上に、塩素化ポリプロピレン樹脂系インキを用いてヒートシール印刷層１２を形成した。ヒートシール印刷層１２は、酸化チタンを含有していない。その後、絵柄印刷層１３を積層した側とは反対側の基材層１１上にマットオーバープリント層１４を形成した。そして、実施例１と同様にして評価を行った。その結果を表１に示す。
【００４４】
【表１】
2018001651.tif 000003
【００４５】
表１中、○印は、基材層１１側から見たときの絵柄印刷層１３の見栄えが良いこと、絵柄印刷層１３とヒートシール印刷層１２との間の接着性が良好であること、または１つの多色印刷機による１回の印刷工程によって印刷工程を終了させることができたことを示している。一方、×印は、基材層１１側から見たときの絵柄印刷層１３の見栄えが悪いこと、または１つの多色印刷機による１回の印刷工程によって印刷工程を終了させることができなかったことを示している。なお、ヒートシール印刷層１２に含有される酸化チタンの濃度が３０重量％以上の場合には、絵柄印刷層１３とヒートシール印刷層１２との間の接着性が悪く、印刷不良が生じていた。また、ヒートシール印刷層１２に含有される酸化チタンの濃度が５重量％よりも低い場合には、ヒートシール印刷層１２が絵柄印刷層１３の下地層としての効果を発揮せず、基材層１１側から見たときの絵柄印刷層１３の見栄えが悪かった。
【００４６】
表１に示されているように、ヒートシール印刷層１２に含有される酸化チタンの濃度を、１５重量％以上２８重量％以下にすることにより、基材層１１側から見たときの絵柄印刷層１３の見栄え、および絵柄印刷層１３とヒートシール印刷層１２との間の接着性を良好にすることができたことが確認できた。また、絵柄印刷層１３の印刷工程において絵柄印刷層１３の下地層として機能する白色の印刷工程を省くことにより、絵柄印刷層１３の印刷工程において使用する色の数を抑えて、９つの印刷ユニットを備える１つの多色印刷機による１回の印刷工程によって印刷工程を終了させることができたことが確認できた。
【符号の説明】
【００４７】
１    インモールドラベル容器
２    容器本体
１０  インモールドラベル
１１  基材層
１２  ヒートシール印刷層
１３  絵柄印刷層
【図１】
2018001651.tif 000004
【図２】
2018001651.tif 000005
【図３】
2018001651.tif 000006
【図４】
2018001651.tif 000007